(57)【要約】【課題】本発明の目的は、コンタクトレンズへの細菌の付着を抑制できるコンタクトレンズ用眼科組成物を提供することである。【解決手段】(A)酸化型グルタチオンと、(B)ポリオキシエチレン・ポリオキシプロピレンブロックコポリマー、グリシン及びその塩、並びにイプシロン−アミノカプロン酸及びその塩からなる群より選択される少なくとも１種とを併用して、コンタクトレンズ用眼科組成物を調製する。【選択図】なし【特許請求の範囲】
【請求項１】
(A)酸化型グルタチオンと、(B)ポリオキシエチレン・ポリオキシプロピレンブロックコポリマー、グリシン及びその塩、並びにイプシロン−アミノカプロン酸及びその塩からなる群より選択される少なくとも１種とを含むことを特徴とする、コンタクトレンズ用眼科組成物。
【請求項２】
更に、ホウ酸緩衝剤を含有する、請求項１に記載のコンタクトレンズ用眼科組成物。
【請求項３】
コンタクトレンズ消毒・洗浄・保存液である、請求項１又は２に記載のコンタクトレンズ用眼科組成物。
【請求項４】
ソフトコンタクトレンズ用である、請求項１乃至３のいずれかに記載のコンタクトレンズ用眼科組成物。
【発明の詳細な説明】
【技術分野】
【０００１】
本発明は、コンタクトレンズへの細菌の付着を抑制できるコンタクトレンズ用眼科組成物に関する。また、本発明は、コンタクトレンズへの細菌の付着を抑制する方法に関する。更に、本発明は、酸化型グルタチオンの安定性を向上させる方法、及びコンタクトレンズ用眼科組成物において、グリシン及び／又はその塩によって引き起こされるコンタクトレンズのサイズ変化を抑制する方法に関する。
【背景技術】
【０００２】
近年、コンタクトレンズの装用者が増えており、中でもソフトコンタクトレンズの装用者が増えている。コンタクトレンズは、眼粘膜と直接接触させて使用されるため、出来るだけ清潔な状態を維持させる必要がある。そのため、装用中には、細菌等の異物の付着を減らすことも重要である。結膜常在細菌の多くは非病原性であるが、コンタクトレンズに過剰に細菌が付着すると、付着した細菌から分泌される菌体外物質等によりコンタクトレンズ表面にバイオフィルムが形成され、病原性微生物の温床となる危険性があり、微生物感染症のリスクを高めることになる。
【０００３】
従来、コンタクトレンズへの細菌付着を抑制する技術として、抗菌物質を担持させたコンタクトレンズが報告されている（特許文献１及び２参照）。しかしながら、点眼剤、洗眼剤、コンタクトレンズケア用剤等のコンタクトレンズ用眼科組成物の製剤設計の観点から、コンタクトレンズへの細菌の付着を抑制する技術については、未だ十分に検討されていない。
【０００４】
一方、酸化型グルタチオン（GSSG）は、N末端側からグルタミン酸、システイン及びグリシンがペプチド結合したグルタチオン（以下、還元型グルタチオン又はGSHと記載する事もある）の２分子が、ジスルフィド結合で連結したペプチドである。従来、酸化型グルタチオンは、眼科分野では、白内障、硝子体、緑内障等の眼科手術時における眼内・眼外の洗浄及び眼灌流に使用されている。
【０００５】
また、ポリオキシエチレン・ポリオキシプロピレンブロックコポリマーは、界面活性作用を示し、薬効成分の溶解補助等を目的として、従来から眼科組成物において使用されている。
【０００６】
また、グリシン、イプシロン−アミノカプロン酸、及びこれらの塩は、細胞の新陳代謝や細胞呼吸等を促進させること等を目的として、これまでにも眼科用組成物において使用されている。
【０００７】
しかしながら、酸化型グルタチオンがコンタクトレンズへの細菌付着に及ぼす影響については何ら検討されていない。ましてや、酸化型グルタチオンと、ポリオキシエチレン・ポリオキシプロピレンブロックコポリマー、グリシン及びその塩、並びにイプシロン−アミノカプロン酸及びその塩を組み合わせた場合に、コンタクトレンズへの細菌付着に及ぼす影響については、皆目見当できないのが現状である。
【先行技術文献】
【特許文献】
【０００８】
【特許文献１】特開2003-248200号公報
【特許文献２】特表2009-533081号公報
【発明の概要】
【発明が解決しようとする課題】
【０００９】
本発明は、コンタクトレンズへの細菌の付着を抑制できるコンタクトレンズ用眼科組成物を提供することを目的とする。
【課題を解決するための手段】
【００１０】
本発明者等は、上記課題を解決すべく鋭意検討を行ったところ、驚くべきことに、酸化型グルタチオンと共に、ポリオキシエチレン・ポリオキシプロピレンブロックコポリマー、グリシン及びその塩、並びにイプシロン−アミノカプロン酸及びその塩からなる群より選択される少なくとも１種を配合したコンタクトレンズ用眼科組成物は、コンタクトレンズへの細菌の付着を効果的に抑制できることを見出した。更に、本発明者等は検討を進めたところ、意外にも、酸化型グルタチオンと、ポリオキシエチレン・ポリオキシプロピレンブロックコポリマー、グリシン及びその塩からなる群より選択される少なくとも１種を併用することによって、酸化型グルタチオンの安定性を向上させ得ることを見出した。更に、本発明者等は、グリシン及び／又はその塩にはコンタクトレンズのサイズを膨潤させる性質があるが、酸化型グルタチオンとグリシン及び／又はその塩とを併用することによって、グリシン及び／又はその塩によって引き起こされるコンタクトレンズのサイズ変化を抑制できることを見出した。本発明は、かかる知見に基づいて、更に検討を重ねることにより完成したものである。
【００１１】
即ち、本発明は、下記に掲げる態様の眼科組成物を提供する。
項1-1．  (A)酸化型グルタチオンと、(B)ポリオキシエチレン・ポリオキシプロピレンブロックコポリマー、グリシン及びその塩、並びにイプシロン−アミノカプロン酸及びその塩からなる群より選択される少なくとも１種とを含むことを特徴とする、コンタクトレンズ用眼科組成物。
項1-2．  (A)成分の含有割合が０．０００１〜２w/v％である、項1-1に記載のコンタクトレンズ用眼科組成物。
項1-3．  (B)成分が、ポロクサマー類、グリシン、及びイプシロン−アミノカプロン酸からなる群より選択される少なくとも１種である、項1-1又は1-2に記載のコンタクトレンズ用眼科組成物。
項1-4．  (B)成分の含有割合が０．００１〜１０w/v％である、項1-1乃至1-3のいずれかに記載のコンタクトレンズ用眼科組成物。
項1-5．  更に、緩衝剤を含有する、項1-1乃至1-4のいずれかに記載のコンタクトレンズ用眼科組成物。
項1-6．  緩衝剤がホウ酸緩衝剤である、項1-1乃至1-5のいずれかに記載のコンタクトレンズ用眼科組成物。
項1-7．  緩衝剤の含有割合が0.01〜10w/v％である、項1-5又は1-6に記載のコンタクトレンズ用眼科組成物。
項1-8．  コンタクトレンズケア用剤である、項1-1乃至1-7のいずれかに記載のコンタクトレンズ用眼科組成物。
項1-9．  コンタクトレンズ消毒・洗浄・保存液である、項1-1乃至1-8のいずれかに記載のコンタクトレンズ用眼科組成物。
項1-10．  ソフトコンタクトレンズ用である、項1-1乃至1-9のいずれかに記載のコンタクトレンズ用眼科組成物。
【００１２】
また、本発明は、コンタクトレンズへの細菌付着抑制方法、及びコンタクトレンズへの細菌付着抑制作用を付与する方法を提供する。
項２．(A)酸化型グルタチオンと、(B)ポリオキシエチレン・ポリオキシプロピレンブロックコポリマー、グリシン及びその塩、並びにイプシロン−アミノカプロン酸及びその塩からなる群より選択される少なくとも１種とを含むコンタクトレンズ用眼科組成物を、コンタクトレンズと接触させることを特徴とする、コンタクトレンズへの細菌の付着抑制方法。
項３．コンタクトレンズ用眼科組成物に、(A)酸化型グルタチオンと、(B)ポリオキシエチレン・ポリオキシプロピレンブロックコポリマー、グリシン及びその塩、並びにイプシロン−アミノカプロン酸及びその塩からなる群より選択される少なくとも１種を配合することを特徴とする、コンタクトレンズへの細菌付着を抑制する作用を該コンタクトレンズ用眼科組成物に付与する方法。
【００１３】
また、本発明は、酸化型グルタチオンの安定性を向上させる方法、及び酸化型グルタチオンの安定性を向上させる作用を眼科組成物に付与する方法を提供する。
項４．(A)酸化型グルタチオンと(B)ポリオキシエチレン・ポリオキシプロピレンブロックコポリマー、グリシン及びその塩からなる群より選択される少なくとも１種とを併用する（共存させる）ことを特徴とする、酸化型グルタチオンの安定性を向上させる方法。
項５．(A)酸化型グルタチオンを含有する組成物に、(B)ポリオキシエチレン・ポリオキシプロピレンブロックコポリマー、グリシン及びその塩からなる群より選択される少なくとも１種を配合することを特徴とする、酸化型グルタチオンの安定性を向上させる作用を該組成物に付与する方法。
【００１４】
また、本発明は、グリシン及び／又はその塩によって引き起こされるコンタクトレンズのサイズ変化を抑制する方法、及びグリシン及び／又はその塩によって引き起こされるコンタクトレンズのサイズ変化を抑制する作用を眼科組成物に付与する方法を提供する。
項６．コンタクトレンズ用眼科組成物において、(A)酸化型グルタチオンと、(B)グリシン及びその塩からなる群より選択される少なくとも１種とを併用することを特徴とする、該(B)成分により引き起こされるコンタクトレンズのサイズ変化を抑制する方法。
項７．(A)酸化型グルタチオンを含有するコンタクトレンズ用眼科組成物に、(B)グリシン及びその塩からなる群より選択される少なくとも１種を配合することを特徴とする、該(B)成分により引き起こされるコンタクトレンズのサイズ変化を抑制する作用を該コンタクトレンズ用眼科組成物に付与する方法。
【発明の効果】
【００１５】
本発明によれば、酸化型グルタチオンと、ポリオキシエチレン・ポリオキシプロピレンブロックコポリマー、グリシン及びその塩、並びにイプシロン−アミノカプロン酸及びその塩からなる群より選択される少なくとも１種とを併用することによって、コンタクトレンズへの細菌の付着を抑制できるので、コンタクトレンズ装用に起因する細菌感染症のリスクを低減できる。ひいては、細菌を温床とする病原性微生物の付着をも抑制し、コンタクトレンズ装用に起因する病原性微生物感染症のリスクも低減でき、コンタクトレンズをより安全に使用可能とするコンタクトレンズ用眼科組成物が提供される。
【００１６】
また、コンタクトレンズ用眼科組成物において、酸化型グルタチオンと、ポリオキシエチレン・ポリオキシプロピレンブロックコポリマー、グリシン及びその塩からなる群より選択される少なくとも１種とを併用することによって、コンタクトレンズ用眼科組成物において酸化型グルタチオンを安定に維持させることもできるので、長期間保存しても、コンタクトレンズへの細菌付着抑制効果を損なうことなく、有効に奏させることができる。
【００１７】
更に、コンタクトレンズ用眼科組成物において、酸化型グルタチオンと、グリシン及びその塩からなる群より選択される少なくとも１種とを併用することによって、グリシン及び／又はその塩によって引き起こされるコンタクトレンズの変形（サイズ変化）を効果的に抑制できるので、装用感を損ねることなく、コンタクトレンズを使用することが可能になる。また、コンタクトレンズのサイズ変化は、予想外の物理的ストレスなどを眼に与える恐れがあるが、上記態様のコンタクトレンズ用眼科組成物は、コンタクトレンズのサイズ変化を抑制できるので、高い安全性をもってコンタクトレンズを使用する為にも有効である。また、コンタクトレンズの過度のサイズ変化は、レンズ本来の視力矯正力を損なわせることもあるが、本願発明のコンタクトレンズ用眼科組成物は、コンタクトレンズの変形を効果的に抑制できるので、レンズの視力矯正力を維持する為にも有効である。
【発明を実施するための形態】
【００１８】
１．コンタクトレンズ用眼科組成物
本発明のコンタクトレンズ用眼科組成物は、酸化型グルタチオン（以下、単に(A)成分と表記することもある）を含有する。
【００１９】
酸化型グルタチオンは、グルタミン酸、システイン及びグリシンがペプチド結合によって結合しているトリペプチド（還元型グルタチオン）の２分子がジスルフィド結合で連結したペプチドとして公知の化合物である。本発明に使用される酸化型グルタチオンは、公知の方法により合成してもよく市販品として入手することもできる。これらはｄ体、ｌ体又はｄｌ体のいずれでもよい。好ましくはｌ体である。
【００２０】
本発明のコンタクトレンズ用眼科組成物において、(A)成分の含有割合は、(A)成分の種類、併用する(B)成分の種類、該コンタクトレンズ用眼科組成物の製剤形態等に応じて適宜設定されるが、一例として、コンタクトレンズ用眼科組成物の総量に対して、(A)成分が総量で０．０００１〜２w/v％、好ましくは０．０００５〜１w/v％、更に好ましくは０．００１〜０．３w/v％が例示される。
【００２１】
上記(A)成分の含有割合は、コンタクトレンズへの細菌付着抑制作用を一層高めるという観点から好適である。また、上記(A)成分の含有割合は、酸化型グルタチオンの安定性を一層高める、又はコンタクトレンズのサイズ変化抑制作用を一層高めるという観点からも好適である。
【００２２】
本発明の眼科組成物は、上記(A)成分に加えて、ポリオキシエチレン・ポリオキシプロピレンブロックコポリマー、グリシン及びその塩、並びにイプシロン−アミノカプロン酸及びその塩からなる群より選択される少なくとも１種（以下、(B)成分と表記することもある）を含有する。このように(A)及び(B)成分を併用することによって、コンタクトレンズへの細菌の付着を顕著に抑制することが可能になる。また、(B)成分としてポリオキシエチレン・ポリオキシプロピレンブロックコポリマー、グリシン及びその塩からなる群より選択される少なくとも１種を使用する場合には、更に酸化型グルタチオンの安定性を向上させることも可能になる。更に、(B)成分としてグリシン及び／又はその塩を使用する場合には、(A)成分との共存によって、グリシン及び／又はその塩によって引き起こされるコンタクトレンズのサイズ変化を抑制することもできる。
【００２３】
(B)成分の内、ポリオキシエチレン・ポリオキシプロピレンブロックコポリマーは、ポリオキシエチレン基とポリオキシプロピレン基とのブロック共重合体であり、エチレンジアミンのＰＯＥ-ＰＯＰブロックコポリマー付加物であってもよい。これらは非イオン性界面活性剤として公知の化合物である。本発明に使用されるポリオキシエチレン・ポリオキシプロピレンブロックコポリマーにおいて、ポリオキシエチレン基とポリオキシプロピレン基の比率については、特に制限されないが、例えば、モル比で、ポリオキシエチレン基１００に対して、ポリオキシプロピレン基が１〜１０００、好ましくは１〜３００、更に好ましくは１〜１００、特に好ましくは１〜５０が挙げられる。また、本発明に使用されるポリオキシエチレン・ポリオキシプロピレンブロックコポリマーの分子量についても、特に制限されるものではないが、例えば４０００〜３００００、好ましくは１０００〜２００００、更に好ましくは５０００〜１５０００が挙げられる。当該分子量は、サイズ排除クロマトグラフィ法によって測定される値である。
【００２４】
本発明で使用されるポリオキシエチレン・ポリオキシプロピレンブロックコポリマーとして、具体的には、POE（3）POP（17）グリコール（プルロニックＬ３１）、POE（20）POP（20）グリコール（プルロニックＬ４４）、POE（24）POP（20）グリコール（ポロクサマー１２４、プルロニックＬ４４）、POE（25）POP（30）グリコール（プルロニックＬ６４）、POE（35）POP（40）グリコール（プルロニックＰ８４）、POE（42）POP（67）グリコール（ポロクサマー４０３、プルロニックＰ１２３）、POE（54）POP（39）グリコール（ポロクサマー２３５、プルロニックＰ８５）、POE（105）POP（5）グリコール、POE（120）POP（40）グリコール（ポロクサマー２３７、プルロニックＦ８７）、POE（160）POP（30）グリコール（ポロクサマー１８８、プルロニックＦ６８）、POE（196）POP（67）グリコール（ポロクサマー４０７、プルロニックＦ１２７）、POE（200）POP（70）グリコール等のポロクサマー類；テトロニック（登録商標）７０７、テトロニック（登録商標）９０８、テトロニック（登録商標）９０９、テトロニック（登録商標）１１０７、テトロニック（登録商標）１５０８（ＢＡＳＦ社）、等のポロキサミン類；が例示される。また、コンタクトレンズへの細菌付着抑制作用を一層高める、又は酸化型グルタチオンの安定性を一層高めるという観点から、好ましくはポロクサマー類、更に好ましくは、POE（42）POP（67）グリコール（ポロクサマー４０３、プルロニックＰ１２３）、POE（54）POP（39）グリコール（ポロクサマー２３５、プルロニックＰ８５）、POE（160）POP（30）グリコール（ポロクサマー１８８、プルロニックＦ６８）、POE（196）POP（67）グリコール（ポロクサマー４０７、プルロニックＦ１２７）、特に好ましくはPOE（196）POP（67）グリコール（ポロクサマー４０７、プルロニックＦ１２７）が挙げられる。これらのポリオキシエチレン・ポリオキシプロピレンブロックコポリマーは、１種単独で使用してもよく、また２種以上を任意に組み合わせて使用してもよい。なお、上記で例示する化合物において、POEはポリオキシエチレン、POPはポリオキシプロピレン、及び括弧内の数字は付加モル数を示す。
【００２５】
また、(B)成分の内、グリシンは、アミノ酢酸とも称される中性アミノ酸であり、公知の化合物である。
【００２６】
グリシンの塩としては、医薬上、薬理学的に（製薬上）又は生理学的に許容されるものであれば、特に制限されない。グリシンの塩としては、具体的には、有機酸塩［例えば、モノカルボン酸塩（酢酸塩、トリフルオロ酢酸塩、酪酸塩、パルミチン酸塩、ステアリン酸塩等）、多価カルボン酸塩（フマル酸塩、マレイン酸塩、コハク酸塩、マロン酸塩等）、オキシカルボン酸塩（乳酸塩、酒石酸塩、クエン酸塩等）、有機スルホン酸塩（メタンスルホン酸塩、トルエンスルホン酸塩、トシル酸塩等）等］、無機酸塩（例えば、塩酸塩、硫酸塩、硝酸塩、臭化水素酸塩、リン酸塩等）、有機塩基との塩（例えば、メチルアミン、トリエチルアミン、トリエタノールアミン、モルホリン、ピペラジン、ピロリジン、トリピリジン、ピコリン等の有機アミンとの塩等）、無機塩基との塩［例えば、アンモニウム塩；アルカリ金属（ナトリウム、カリウム等）、アルカリ土類金属（カルシウム、マグネシウム等）、アルミニウム等の金属との塩等］等が挙げられる。これらのグリシンの塩は、１種単独で使用してもよく、また２種以上を任意に組み合わせて使用してもよい。
【００２７】
グリシン及びその塩の中でも、コンタクトレンズへの細菌付着抑制作用を一層高める、酸化型グルタチオンの安定性を一層高める、又はコンタクトレンズのサイズ変化抑制作用を一層高めるという観点から、好ましくはグリシンが挙げられる。
【００２８】
また、(B)成分の内、イプシロン−アミノカプロン酸は、６−アミノヘキサン酸とも称される中性アミノ酸として公知の化合物である。
【００２９】
イプシロン−アミノカプロン酸の塩としては、医薬上、薬理学的に（製薬上）又は生理学的に許容されるものであれば、特に制限されない。イプシロン−アミノカプロン酸の塩として、具体的には、上記グリシンがとり得る塩と同形態のものが例示される。これらのイプシロン−アミノカプロン酸の塩は、１種単独で使用してもよく、また２種以上を任意に組み合わせて使用してもよい。
【００３０】
イプシロン−アミノカプロン酸及びその塩の中でも、コンタクトレンズへの細菌付着抑制作用を一層高めるという観点から、好ましくはイプシロン−アミノカプロン酸が挙げられる。
【００３１】
本発明のコンタクトレンズ用眼科組成物において、(B)成分は、ポリオキシエチレン・ポリオキシプロピレンブロックコポリマー、グリシン及びその塩、並びにイプシロン−アミノカプロン酸及びその塩の中から１種を選択して使用してもよく、また２種以上を組み合わせて使用してもよい。
【００３２】
本発明のコンタクトレンズ用眼科組成物において、(B)成分の含有割合は、(B)成分の種類、併用する(A)成分の種類、該コンタクトレンズ用眼科組成物の製剤形態等に応じて適宜設定されるが、一例として、コンタクトレンズ用眼科組成物の総量に対して、(B)成分が総量で０．００１〜１０w/v％、好ましくは０．０１〜５w/v％、更に好ましくは０．００５〜３w/v％が例示される。
【００３３】
また、コンタクトレンズへの細菌付着抑制作用を一層高めるとの観点から、上記(B)成分の種類毎の含有割合として、以下の範囲が例示される。
(B)成分がポリオキシエチレン・ポリオキシプロピレンブロックコポリマーの場合：好ましくは０．００１〜３w/v％、更に好ましくは０．０１〜０．５w/v％、特に好ましくは０．０５〜０．３w/v％。該含有割合は、酸化型グルタチオンの安定性を一層高めるとの観点からも好適である。
(B)成分がグリシン及び／又はその塩の場合：好ましくは０．００５〜５w/v％、更に好ましくは０．０１〜３w/v％、特に好ましくは０．１〜１．５w/v％。該含有割合は、酸化型グルタチオンの安定性を一層高める、又はコンタクトレンズのサイズ変化抑制作用を一層高めるという観点からも好適である。
(B)成分がイプシロン−アミノカプロン酸及び／又はその塩の場合：好ましくは０．００５〜１０w/v％、更に好ましくは０．０１〜５w/v％、より好ましくは０．１〜３w/v％。
【００３４】
本発明のコンタクトレンズ用眼科組成物における(A)成分及び(B)成分の比率は、これら両成分の各配合割合に応じて適宜設定されるが、(A)成分の総量１重量部に対して、(B)成分が総量で０．０００５〜１００００重量部、好ましくは０．００５〜２０００重量部、更に好ましくは０．０５〜５００重量部となる比率が例示される。
【００３５】
また、コンタクトレンズへの細菌付着抑制作用を一層高めるとの観点から、(B)成分の種類毎の比率として、以下の範囲が例示される。
(B)成分がポリオキシエチレン・ポリオキシプロピレンブロックコポリマーの場合：(A)成分の総量１重量部に対して、(B)成分が好ましくは０．０００５〜１０００重量部、更に好ましくは０．００５〜２００重量部、更により好ましくは０．０５〜６０重量部、特に好ましくは０．０５〜２０重量部。該比率は、酸化型グルタチオンの安定性を一層高めるとの観点からも好適である。
(B)成分がグリシン及び／又はその塩の場合：(A)成分の総量１重量部に対して、(B)成分が好ましくは０．００３〜５０００重量部、更に好ましくは０．０３〜１０００重量部、更により好ましくは０．３〜３５０重量部、特に好ましくは０．３〜１００重量部。該比率は、酸化型グルタチオンの安定性を一層高める、又はコンタクトレンズのサイズ変化抑制作用を一層高めるという観点からも好適である。
(B)成分がイプシロン−アミノカプロン酸及び／又はその塩の場合：(A)成分の総量１重量部に対して、(B)成分が好ましくは０．００５〜１００００重量部、更に好ましくは０．０５〜２０００重量部、更により好ましくは０．５〜５００重量部、特に好ましくは０．５〜２００重量部。
【００３６】
本発明のコンタクトレンズ用眼科組成物は、更に緩衝剤を含有することが好ましい。本発明のコンタクトレンズ用眼科組成物に配合できる緩衝剤としては、医薬上、薬理学的に（製薬上）又は生理学的に許容されるものであれば、特に制限されない。かかる緩衝剤の一例として、ホウ酸緩衝剤、リン酸緩衝剤、炭酸緩衝剤、クエン酸緩衝剤、酢酸緩衝剤、アスパラギン酸、アスパラギン酸塩等が挙げられる。これらの緩衝剤は組み合わせて使用しても良い。ホウ酸緩衝剤としては、ホウ酸、又はホウ酸アルカリ金属塩、ホウ酸アルカリ土類金属塩等のホウ酸塩が挙げられる。リン酸緩衝剤としては、リン酸、又はリン酸アルカリ金属塩、リン酸アルカリ土類金属塩等のリン酸塩が挙げられる。炭酸緩衝剤としては、炭酸、又は炭酸アルカリ金属塩、炭酸アルカリ土類金属塩等の炭酸塩が挙げられる。クエン酸緩衝剤としては、クエン酸、又はクエン酸アルカリ金属塩、クエン酸アルカリ土類金属塩等が挙げられる。また、ホウ酸緩衝剤又はリン酸緩衝剤として、ホウ酸塩又はリン酸塩の水和物を用いてもよい。より具体的な例として、ホウ酸緩衝剤として、ホウ酸又はその塩(ホウ酸ナトリウム、テトラホウ酸カリウム、メタホウ酸カリウム、ホウ酸アンモニウム、ホウ砂等)；リン酸緩衝剤として、リン酸又はその塩(リン酸水素二ナトリウム、リン酸二水素ナトリウム、リン酸二水素カリウム、リン酸三ナトリウム、リン酸二カリウム、リン酸一水素カルシウム、リン酸二水素カルシウム等)；炭酸緩衝剤として、炭酸又はその塩（炭酸水素ナトリウム、炭酸ナトリウム、炭酸アンモニウム、炭酸カリウム、炭酸カルシウム、炭酸水素カリウム、炭酸マグネシウム等）；クエン酸緩衝剤として、クエン酸又はその塩（クエン酸ナトリウム、クエン酸カリウム、クエン酸カルシウム、クエン酸二水素ナトリウム、クエン酸二ナトリウム等）；酢酸緩衝剤として、酢酸又はその塩（酢酸アンモニウム、酢酸カリウム、酢酸カルシウム、酢酸ナトリウム等）；アスパラギン酸又はその塩（アスパラギン酸ナトリウム、アスパラギン酸マグネシウム、アスパラギン酸カリウム等）等が例示できる。これらの緩衝剤の中でも、ホウ酸緩衝剤（特に、ホウ酸とホウ砂の組合せ）は、コンタクトレンズへの細菌付着抑制作用を一層向上させ得るため、本発明において好適である。また、ホウ酸緩衝剤（特に、ホウ酸とホウ砂の組合せ）は、(B)成分による酸化型グルタチオンの安定化効果を一層高めるという観点からも好適である。更に、ホウ酸緩衝剤（特に、ホウ酸とホウ砂の組合せ）は、グリシン及び／又は塩によって引き起こされるコンタクトレンズの変形を助長する傾向があるが、本発明によれば、ホウ酸緩衝剤の存在下でも、グリシン及び／又は塩によって引き起こされるコンタクトレンズの変形を効果的に抑制することができる。これらの緩衝剤及び緩衝剤成分は１種単独で使用してもよく、また２種以上を任意に組み合わせて使用してもよい。
【００３７】
本発明のコンタクトレンズ用眼科組成物に緩衝剤を配合する場合、該緩衝剤の含有割合については、使用する緩衝剤の種類、他の配合成分の種類や含有割合、該コンタクトレンズ用眼科組成物の製剤形態等に応じて異なり、一律に規定することはできないが、例えば、該コンタクトレンズ用眼科組成物の総量に対して、該緩衝剤が総量で０．０１〜１０w/v％、好ましくは０．１〜５w/v％、更に好ましくは０．２〜２w/v％となる割合が例示される。
【００３８】
本発明のコンタクトレンズ用眼科組成物は、更に、ポリオキシエチレン・ポリオキシプロピレンブロックコポリマー以外の界面活性剤を含有していてもよい。本発明の眼科組成物に配合可能な界面活性剤としては、医薬上、薬理学的に（製薬上）又は生理学的に許容されることを限度として特に制限されず、非イオン性界面活性剤、両性界面活性剤、陰イオン性界面活性剤、陽イオン性界面活性剤のいずれであってもよい。
【００３９】
本発明のコンタクトレンズ用眼科組成物に配合可能な非イオン性界面活性剤としては、具体的には、モノラウリン酸POE(20)ソルビタン（ポリソルベート20）、モノパルミチン酸POE（20）ソルビタン（ポリソルベート40）、モノステアリン酸POE（20）ソルビタン（ポリソルベート60）、トリステアリン酸POE（20）ソルビタン（ポリソルベート65）、モノオレイン酸POE(20)ソルビタン(ポリソルベート80)等のPOEソルビタン脂肪酸エステル類；POE(60)硬化ヒマシ油（ポリオキシエチレン硬化ヒマシ油60）等のPOE硬化ヒマシ油類；POE(9)ラウリルエーテル等のPOEアルキルエーテル類；POE(20)POP(4)セチルエーテル等のPOE-POPアルキルエーテル類；POE(10)ノニルフェニルエーテル等のPOEアルキルフェニルエーテル類等が挙げられる。なお、上記で例示する化合物において、POEはポリオキシエチレン、POPはポリオキシプロピレン、及び括弧内の数字は付加モル数を示す。また、本発明のコンタクトレンズ用眼科組成物に配合可能な両性界面活性剤としては、具体的には、アルキルジアミノエチルグリシン又はその塩（例えば、塩酸塩等）等が例示される。また、本発明のコンタクトレンズ用眼科組成物に配合可能な陽イオン性界面活性剤としては、具体的には、塩化ベンザルコニウム、塩化ベンゼトニウム等が例示される。また、本発明のコンタクトレンズ用眼科組成物に配合可能な陰イオン性界面活性剤としては、具体的には、アルキルベンゼンスルホン酸塩、アルキル硫酸塩、ポリオキシエチレンアルキル硫酸塩、脂肪族α−スルホメチルエステル、α−オレフィンスルホン酸等が例示される。好ましくは、非イオン性界面活性剤であり、さらに好ましくは、POEソルビタン脂肪酸エステル類、POE硬化ヒマシ油類であり、特に好ましくは、ポリソルベート８０、ポリオキシエチレン硬化ヒマシ油６０である。
【００４０】
本発明のコンタクトレンズ用眼科組成物において、上記界面活性剤は、１種単独で使用してもよく、また２種以上を組み合わせて使用してもよい。
【００４１】
本発明のコンタクトレンズ用眼科組成物に界面活性剤を配合する場合、該界面活性剤の含有割合については、該界面活性剤の種類、他の配合成分の種類や含有割合、該コンタクトレンズ用眼科組成物の製剤形態等に応じて適宜設定できる。界面活性剤の含有割合の一例として、コンタクトレンズ用眼科組成物の総量に対して、該界面活性剤が総量で、０．００１〜１．０w/v％、好ましくは０．００５〜０．７w/v％、更に好ましくは０．０１〜０．５w/v％が例示される。
【００４２】
また、本発明のコンタクトレンズ用眼科組成物は、更に等張化剤を含有していてもよい。本発明のコンタクトレンズ用眼科組成物に配合できる等張化剤としては、医薬上、薬理学的に（製薬上）又は生理学的に許容されるものであれば、特に制限されない。かかる等張化剤の具体例として、例えば、リン酸水素二ナトリウム、リン酸二水素ナトリウム、リン酸二水素カリウム、亜硫酸水素ナトリウム、亜硫酸ナトリウム、塩化カリウム、塩化カルシウム、塩化ナトリウム、塩化マグネシウム、酢酸カリウム、酢酸ナトリウム、炭酸水素ナトリウム、炭酸ナトリウム、チオ硫酸ナトリウム、硫酸マグネシウム、グリセリン、プロピレングリコール等が挙げられる。これらの等張化剤の中でも、好ましくは、グリセリン、プロピレングリコール、塩化ナトリウム、塩化カリウム、塩化カルシウム、及び塩化マグネシウムが挙げられ、更に好ましくは塩化ナトリウム又はグリセリンが挙げられ、特に好ましくは塩化ナトリウムが挙げられる。これらの等張化剤は、１種単独で使用してもよく、また２種以上を任意に組み合わせて使用してもよい。
【００４３】
本発明のコンタクトレンズ用眼科組成物に等張化剤を配合する場合、該等張化剤の含有割合については、使用する等張化剤の種類等に応じて異なり、一律に規定することはできないが、例えば、コンタクトレンズ用眼科組成物の総量に対して、該等張化剤が総量で０．０１〜１０w/v％、好ましくは０．０５〜５w/v％、更に好ましくは０．１〜３w/v％となる割合が例示される。
【００４４】
本発明のコンタクトレンズ用眼科組成物のｐＨについては、医薬上、薬理学的に（製薬上）又は生理学的に許容される範囲内であれば特に限定されるものではない。本発明のコンタクトレンズ用眼科組成物のｐＨの一例として、４．０〜９．５、好ましくは５．０〜９．０、更に好ましくは６．２〜８．５、特に好ましくは６．５〜８となる範囲が挙げられる。
【００４５】
また、本発明のコンタクトレンズ用眼科組成物の浸透圧については、生体に許容される範囲内であれば、特に制限されない。本発明のコンタクトレンズ用眼科組成物の浸透圧比の一例として、好ましくは０．５〜５．０、更に好ましくは０．６〜３．０、特に好ましくは０．７〜２．０となる範囲が挙げられる。浸透圧の調整は無機塩、多価アルコール、糖アルコール、糖類等を用いて、当該技術分野で既知の方法で行うことができる。浸透圧比は、第十五改正日本薬局方に基づき286ｍOsm（0.9w/v％塩化ナトリウム水溶液の浸透圧）に対する試料の浸透圧の比とし、浸透圧は日本薬局方記載の浸透圧測定法（氷点降下法）を参考にして測定する。なお、浸透圧比測定用標準液（0.9w/v％塩化ナトリウム水溶液）は、塩化ナトリウム（日本薬局方標準試薬）を500〜650℃で40〜50分間乾燥した後、デシケーター（シリカゲル）中で放冷し、その0.900ｇを正確に量り、精製水に溶かし正確に100ｍＬとして調製するか、市販の浸透圧比測定用標準液（0.9w/v％塩化ナトリウム水溶液）を用いる。
【００４６】
本発明のコンタクトレンズ用眼科組成物は、本発明の効果を妨げない限り、上記成分の他に、種々の薬理活性成分や生理活性成分を組み合わせて適当量含有してもよい。かかる成分は特に制限されず、例えば、一般用医薬品製造（輸入）承認基準２０００年版（薬事審査研究会監修）に記載された眼科用薬における有効成分が例示できる。具体的には、眼科用薬において用いられる成分としては、次のような成分が挙げられる。
抗ヒスタミン剤：例えば、イプロヘプチン、塩酸ジフェンヒドラミン、マレイン酸クロルフェニラミン、フマル酸ケトチフェン、ペミロラストカリウム等。
充血除去剤：例えば、塩酸テトラヒドロゾリン、塩酸ナファゾリン、硫酸ナファゾリン、塩酸エピネフリン、塩酸エフェドリン、塩酸メチルエフェドリン等。
殺菌剤：例えば、セチルピリジニウム、塩化ベンザルコニウム、塩化ベンゼトニウム、塩酸クロルヘキシジン、グルコン酸クロルヘキシジン、塩酸ポリヘキサニド等。
ビタミン類：例えば、フラビンアデニンジヌクレオチドナトリウム、シアノコバラミン、酢酸レチノール、パルミチン酸レチノール、塩酸ピリドキシン、パンテノール、パントテン酸カルシウム、酢酸トコフェロール等。
アミノ酸類：例えば、アスパラギン酸カリウム、アスパラギン酸マグネシウム等。
消炎剤：例えば、グリチルリチン酸二カリウム、プラノプロフェン、アラントイン、アズレン、アズレンスルホン酸ナトリウム、グアイアズレン、塩化ベルベリン、硫酸ベルベリン、塩化リゾチーム、甘草等。
その他：例えば、クロモグリク酸ナトリウム、コンドロイチン硫酸ナトリウム、ヒアルロン酸ナトリウム、スルファメトキサゾール、スルファメトキサゾールナトリウム等。
【００４７】
また、本発明のコンタクトレンズ用眼科組成物には、発明の効果を損なわない範囲であれば、その用途や製剤形態に応じて、常法に従い、様々な添加物を適宜選択し、１種又はそれ以上を併用して適当量含有させてもよい。それらの添加物として、例えば、医薬品添加物事典２００７（日本医薬品添加剤協会編集）に記載された各種添加物が例示できる。代表的な成分として次の添加物が挙げられる。
担体：例えば、水、含水エタノール等の水性担体。
糖類：例えば、シクロデキストリン等。
糖アルコール類：例えば、キシリトール、ソルビトール、マンニトールなど。これらはｄ体、ｌ体又はｄｌ体のいずれでもよい。
防腐剤、殺菌剤又は抗菌剤：例えば、塩酸アルキルジアミノエチルグリシン、安息香酸ナトリウム、エタノール、塩化ベンザルコニウム、塩化ベンゼトニウム、グルコン酸クロルヘキシジン、クロロブタノール、ソルビン酸、ソルビン酸カリウム、デヒドロ酢酸ナトリウム、パラオキシ安息香酸メチル、パラオキシ安息香酸エチル、パラオキシ安息香酸プロピル、パラオキシ安息香酸ブチル、硫酸オキシキノリン、フェネチルアルコール、ベンジルアルコール、グローキル（ローディア社製 商品名）等。
ｐＨ調節剤：例えば、塩酸、ホウ酸、クエン酸、酢酸、水酸化ナトリウム、水酸化カリウム、水酸化カルシウム、水酸化マグネシウム、炭酸水素ナトリウム、炭酸ナトリウム、ホウ砂、トリエタノールアミン、モノエタノールアミン、ジイソプロパノールアミン、硫酸、リン酸、ポリリン酸、プロピオン酸、シュウ酸、グルコン酸、フマル酸、乳酸、酒石酸、リンゴ酸、コハク酸、グルコノラクトン、酢酸アンモニウム等。
安定化剤：例えば、ジブチルヒドロキシトルエン、トロメタモール、ナトリウムホルムアルデヒドスルホキシレート（ロンガリット）、トコフェロール、ピロ亜硫酸ナトリウム、モノエタノールアミン、モノステアリン酸アルミニウム、モノステアリン酸グリセリン等。
【００４８】
本発明のコンタクトレンズ用眼科組成物は、所望量の上記(A)及び(B)成分、及び必要に応じて他の配合成分を所望の含有割合となるように添加することにより調製される。
【００４９】
本発明のコンタクトレンズ用眼科組成物は、眼科分野で使用されるものであれば、その製剤形態については制限されない。例えば、コンタクトレンズ用点眼剤（コンタクトレンズを装着したまま使用可能な点眼剤）、コンタクトレンズ用洗眼剤（コンタクトレンズを装着したまま使用可能な洗眼剤）、コンタクトレンズ装着液、コンタクトレンズケア用剤（コンタクトレンズ消毒液、コンタクトレンズ保存液、コンタクトレンズ洗浄液、コンタクトレンズ洗浄・保存液、及びコンタクトレンズ消毒・洗浄・保存液（マルチパーパスソルーション）等）等を挙げることができる。中でも、コンタクトレンズケア用剤は、コンタクトレンズへの細菌付着抑制作用の付与が強く要求されている製剤形態であるため、本発明のコンタクトレンズ用眼科組成物の製剤形態として特に好適である。とりわけコンタクトレンズ消毒・洗浄・保存液（マルチパーパスソリューション）は、コンタクトレンズの消毒・洗浄・保存を一液で行うため、抗菌力が強すぎると保存液としての安全性が損なわれる。そのため、コンタクトレンズへの細菌の接着抑制により、角膜や結膜をはじめとする眼粘膜への微生物感染を抑制することが非常に重要とされており、本発明のコンタクトレンズ用眼科組成物の製剤形態として特に好適である。
【００５０】
なお、本発明において、コンタクトレンズとは、ソフトコンタクトレンズ及びハードコンタクトレンズの双方を包含する。また、ソフトコンタクトレンズとは、イオン性及び非イオン性の双方を包含し、シリコーンハイドロゲルコンタクトレンズ（以下、SHCLと略記することもある）及び非シリコーンハイドロゲルコンタクトレンズ（シリコーンハイドロゲルレンズでは無いソフトコンタクトレンズ）の双方を包含する。コンタクトレンズへの細菌付着やコンタクトレンズのサイズ変化は、ソフトコンタクトレンズにおいて生じ易く、ソフトコンタクトレンズに対して細菌付着抑制やサイズ変化の抑制が強く要求されている。そのため、本発明のコンタクトレンズ用眼科組成物の製剤形態として、ソフトコンタクトレンズ用眼科組成物（即ち、適用対象レンズがソフトコンタクトレンズであるコンタクトレンズ用眼科組成物）が好適である。
【００５１】
また、本発明の眼科組成物をソフトコンタクトレンズ用眼科組成物の製剤形態にする場合、適用対象となるソフトコンタクトレンズの含水率についても特に制限されず、例えば、９０%以下、好ましくは６０%以下が挙げられる。なお、ソフトコンタクトレンズは、少なくとも０％より多い水分を含む。
【００５２】
ここでソフトコンタクトレンズの含水率とは、ソフトコンタクトレンズ中の水の割合を示し、具体的には以下の計算式により求められる。
【００５３】
含水率（%）=（含水した水の重量／含水状態のソフトコンタクトレンズの重量）×100
かかる含水率はISO18369-4:2006の記載に従って、重量測定方法により測定され得る。
【００５４】
本発明のコンタクトレンズ用眼科組成物は、コンタクトレンズへの細菌の付着を抑制し、ひいては眼粘膜の細菌感染症を予防できるので、眼粘膜の細菌感染症の予防の用途に使用することができる。
【００５５】
２．コンタクトレンズへの細菌付着抑制方法、及びコンタクトレンズへの細菌付着抑制作用をコンタクトレンズ用眼科組成物に付与する方法
また、前述するように、(A)及び(B)成分を併用することによって、コンタクトレンズへの細菌の付着を抑制することができる。
【００５６】
従って、本発明は、更に別の観点から、(A)酸化型グルタチオンと、(B)ポリオキシエチレン・ポリオキシプロピレンブロックコポリマー、グリシン及びその塩、並びにイプシロン−アミノカプロン酸及びその塩からなる群より選択される少なくとも１種とを含むコンタクトレンズ用眼科組成物を、コンタクトレンズと接触させることを特徴とする、コンタクトレンズへの細菌の付着抑制方法を提供する。また、本発明は、コンタクトレンズ用眼科組成物に、(A)酸化型グルタチオンと、(B)ポリオキシエチレン・ポリオキシプロピレンブロックコポリマー、グリシン及びその塩、並びにイプシロン−アミノカプロン酸及びその塩からなる群より選択される少なくとも１種を配合することを特徴とする、コンタクトレンズへの細菌付着を抑制する作用を該コンタクトレンズ用眼科組成物に付与する方法をも提供する。
【００５７】
これらの方法において、使用する(A)及び(B)成分の種類、それらの含有割合、それらの比率、その他に配合される成分の種類や含有割合、コンタクトレンズ用眼科組成物の製剤形態、コンタクトレンズの種類等については、前記「１．コンタクトレンズ用眼科組成物」と同様である。
【００５８】
３．酸化型グルタチオンの安定性を向上させる方法、及び酸化型グルタチオンの安定性を向上させる作用を眼科組成物に付与する方法
前述するように、酸化型グルタチオンと、ポリオキシエチレン・ポリオキシプロピレンブロックコポリマー、グリシン及びその塩の中の少なくとも１種とを併用することによって、コンタクトレンズ用眼科組成物において、酸化型グルタチオンの安定性を向上させることができる。
【００５９】
従って、本発明は、更に別の観点から、コンタクトレンズ用眼科組成物において、(A)酸化型グルタチオンと(B)ポリオキシエチレン・ポリオキシプロピレンブロックコポリマー、グリシン及びその塩からなる群より選択される少なくとも１種とを併用する（共存させる）ことを特徴とする、酸化型グルタチオンの安定性を向上させる方法を提供する。また、本発明は、(A)酸化型グルタチオンを含有するコンタクトレンズ用眼科組成物に、(B)ポリオキシエチレン・ポリオキシプロピレンブロックコポリマー、グリシン及びその塩からなる群より選択される少なくとも１種を配合することを特徴とする、酸化型グルタチオンの安定性を向上させる作用を該コンタクトレンズ用眼科組成物に付与する方法をも提供する。
【００６０】
これらの方法において、使用する(A)及び(B)成分の種類、それらの含有割合、それらの比率、その他に配合される成分の種類や含有割合、コンタクトレンズ用眼科組成物の製剤形態、コンタクトレンズの種類等については、前記「１．コンタクトレンズ用眼科組成物」と同様である。
【００６１】
４．グリシン及び／又はその塩によるコンタクトレンズのサイズ変化を抑制する方法、及びグリシン及び／又はその塩によるコンタクトレンズのサイズ変化を抑制する作用を眼科組成物に付与する方法 
前述するように、コンタクトレンズ用眼科組成物中で、酸化型グルタチオンと、グリシン及び／又はその塩とを共存させることによって、グリシン及び／又はその塩との接触で引き起こされるコンタクトレンズのサイズ変化を抑制することができる。
【００６２】
従って、本発明は、更に別の観点から、コンタクトレンズ用眼科組成物において、(A)酸化型グルタチオンと、(B)グリシン及びその塩からなる群より選択される少なくとも１種とを併用することを特徴とする、該(B)成分により引き起こされるコンタクトレンズのサイズ変化を抑制する方法を提供する。また、本発明は、(A)酸化型グルタチオンを含有するコンタクトレンズ用眼科組成物に、(B)グリシン及びその塩からなる群より選択される少なくとも１種を配合することを特徴とする、該(B)成分により引き起こされるコンタクトレンズのサイズ変化を抑制する作用を該コンタクトレンズ用眼科組成物に付与する方法を提供する。
【００６３】
これらの方法において、使用する(A)及び(B)成分の種類、それらの含有割合、それらの比率、その他に配合される成分の種類や含有割合、コンタクトレンズ用眼科組成物の製剤形態、コンタクトレンズの種類等については、前記「１．コンタクトレンズ用眼科組成物」と同様である。
【実施例】
【００６４】
以下に、実施例に基づいて本発明を詳細に説明するが、本発明はこれらの実施例によって限定されるものではない。
【００６５】
試験例1  コンタクトレンズへの菌付着性試験
表１に示す試験液（実施例１−３及び比較例１−７）を用いて、ソフトコンタクトレンズ(ソフトコンタクトレンズ分類：グループIV、主材質：etafilconA、含水率：58％)へのPseudomonas aeruginosa (ATCC9027)（細菌）の付着性について評価した。
【００６６】
レンズを1枚あたり滅菌生理食塩水5ｍLに1晩浸漬させた(レンズの前処理)。各試験液1ｍLを24穴マルチプレートに入れ、それぞれに前処理済みのレンズを1枚ずつ入れた。コントロールとしては試験液に代えて生理食塩水を用いた（ｎ＝5）。24時間後、それぞれのレンズの水分を不織布で軽く吸い取った後、10３CFU/ｍLのPseudomonas aeruginosa菌液（生理食塩水で懸濁）5ｍＬを入れた6穴マルチプレートに入れ、30分間室温にて保存した。次に、それぞれのレンズをピンセットで生理食塩水5ｍＬを入れた6ウェルプレートに入れ、1分間振とうした。レンズを、新しい生理食塩水5ｍＬの入ったスピッツ管に移し、3分間超音波（38ｋＨｚ）にかけた後、1分間試験管ミキサーにて攪拌することで、各ソフトコンタクトレンズに付着した細菌を剥がし、付着菌液とした。
【００６７】
得られた付着菌液を測定用に適当な濃度になるように希釈し、ソイビーン・カゼイン・ダイジェスト・寒天培地（SCDLP寒天培地)上に播種し、33℃にて1晩培養後、観察されたコロニー数をカウントし、希釈倍率で補正することにより、各レンズに対する付着細菌数（生菌数）を求めた。比較例１の試験液を使用した場合の付着細菌数に対する細菌付抑制率（％）を下記式に従って算出した。
【００６８】
【数１】
2011221464.tif 000002
【００６９】
得られた結果を表１に併せて示す。酸化型グルタチオン単独（比較例２）では菌付着抑制効果を示さず、ポロクサマー407単独（比較例４）でもわずかに菌付着抑制効果を示す程度であったが、酸化型グルタチオンとポロクサマー407を併用した場合（実施例1）では、相乗的に増強された優れた菌付着抑制効果を示すことが確認された。一方、還元型グルタチオンの単独（比較例３）、及び還元型グルタチオンとポロクサマー407の併用（比較例５）では、コンタクトレンズへの菌付着が増大していることから、実施例１によって奏される菌付着抑制効果は、グルタチオンとして酸化型グルタチオンを選択した場合に認められる特有の効果であることが判明した。
【００７０】
また、ポロクサマーに代えて、グリシン又はイプシロン−アミノカプロン酸を用いた場合についても、酸化型グルタチオンとグリシン又はイプシロン−アミノカプロン酸を併用した場合（実施例２−３）では、相乗的に増強された優れた菌付着抑制効果を示すことが確認された。
【００７１】
更に、本試験で認められた菌付着抑制効果は、緩衝剤の中でもホウ酸緩衝剤（ホウ酸及びホウ砂）を選択した場合に、格段顕著に認められるものであることも確認されている。
【００７２】
【表１】
2011221464.tif 000003
【００７３】
試験例２  酸化型グルタチオンの安定性評価試験−１
酸化型グルタチオンの安定性を評価するために、表２に示す試験液（実施例４、比較例８）を用いて、以下の試験を行った。
【００７４】
表２に示す試験液を調製し、各試験液を10ｍL容量のヘッドスペースバイアルに5ｍLずつ充填し、70℃7日間遮光条件下で保存した。
【００７５】
保存前及び保存後に、試験液に含まれる酸化型グルタチオン（GSSG）の濃度をHPLCにより測定し、下記式に従って、酸化型グルタチオンの安定性改善率を算出した。
【００７６】
【数２】
2011221464.tif 000004
【００７７】
得られた結果を表２に併せて示す。酸化型グルタチオンとポロクサマーを併用した試験液(実施例４)では、酸化型グルタチオンを単独で含む場合（比較例８）に比して、酸化型グルタチオンの分解が抑制されており、酸化型グルタチオンが安定に保持されることが確認された。
【００７８】
【表２】
2011221464.tif 000005
【００７９】
試験例３  酸化型グルタチオンの安定性評価試験−２
試験例２と同様に、表３に示す試験液を調製し、各試験液を10ｍL容量のヘッドスペースバイアルに5ｍLずつ充填し、70℃７日間遮光条件下で保存した。
【００８０】
保存前及び保存後に、試験液に含まれる酸化型グルタチオンの濃度をHPLCにより測定し、下記式に従って、酸化型グルタチオンの安定性改善率を算出した。
【００８１】
【数３】
2011221464.tif 000006
【００８２】
得られた結果を表３に併せて示す。酸化型グルタチオンとグリシンを併用した試験液(実施例５)でも、酸化型グルタチオンを単独で含む場合（比較例９）に比して、酸化型グルタチオンの分解が抑制されており、酸化型グルタチオンが安定に保持されることが確認された。
【００８３】
【表３】
2011221464.tif 000007
【００８４】
試験例４  コンタクトレンズサイズ試験
表４に記載の試験液（実施例６及び比較例１０−１１）を用いて、ソフトコンタクトレンズ(ソフトコンタクトレンズ分類：グループIV、主材質：etafilconA、含水率：58％)のサイズ変化に与える影響について評価を行った。
【００８５】
具体的には、以下の方法により評価した。まず、生理食塩水５ｍＬ中にソフトコンタクトレンズを１枚ずつ浸漬して２４時間放置し、レンズサイズを安定化させた（レンズの前処理）。前処理後、生理食塩水を満たしたセルにレンズを移し、該セルを万能投影機（製品名：PROFILE PROJECTOR V-12B、Nikon製）にセットして、レンズのサイズを測定した（スタート値）。次に、ソフトコンタクトレンズを表４に記載の各試験液５ｍＬに浸漬し、４時間室温にて保存した。４時間後、セルを各試験液で共洗いし、それらのセルに各処方液を満たしてレンズを浸漬した。次いで、セルを万能投影機にセットして、レンズのサイズを測定した（保存後値）。そして、測定されたレンズのサイズの保存後値からスタート値を差し引くことにより、各レンズサイズ変化を算出した。次いで、比較例１０の試験液を使用した場合のレンズサイズ変化を１００として、各試験液を使用した際のレンズ変化の相対値を算出した。
【００８６】
本試験では、ソフトコンタクトレンズが生理食塩水に浸漬した状態は、ソフトコンタクトレンズが涙液のみと接している状態をモデル化しており、ソフトコンタクトレンズが試験液に浸漬した状態は、ソフトコンタクトレンズがコンタクトレンズケア用液剤に浸漬、又はソフトコンタクトレンズ装用中に点眼剤を点眼した状態をモデル化している。コンタクトレンズのサイズ、即ち、レンズの物性が変化すると、予想外の物理的ストレスなどを眼に与え、眼障害等を引き起こすなど、種々の問題が生じる可能性がある。そのため、コンタクトレンズのサイズは、涙液のみと接触している時と、装着時又は点眼剤の点眼後では、サイズ変化が少ない方が望ましい。
【００８７】
本試験の結果を表４に併せて示す。酸化型グルタチオンを単独で含む試験液（比較例１０）の場合、ソフトコンタクトレンズを膨潤させた。また、グリシンを単独で含む試験液(比較例１１)でも、ソフトコンタクトレンズを膨潤させた。一方、酸化型グルタチオンとグリシンを併用した場合（実施例６）では、意外にも、ソフトコンタクトレンズの膨潤を抑制していた。
【００８８】
【表４】
2011221464.tif 000008
【００８９】
製剤例
表５及び６に記載の処方で、コンタクトレンズ消毒・洗浄・保存液（マルチパーパスソリューション）（実施例７−２４）が調製される。
【００９０】
【表５】
2011221464.tif 000009
【００９１】
【表６】
2011221464.tif 000010